(57)【要約】      （修正有）【課題】軸方向に分割された電線管にケーブル挿入した後に高い密閉性を確保する電線管連結構造を提供する。【解決手段】電線管１０は軸方向に分割された蛇腹構造をもち、軸方向の蛇腹分割端面に一対の合せ板部１４，２０を形成し、該合せ板部１４，２０には嵌合爪部１８，２４が形成され、また合せ面がずれないように突起部と突起受け部を形成している。電線管１０の合せ板部１４，２０には固定カバー部材３０が装着され、合せ板部１４，２０を挟み込み固定する。固定カバー部材３０は、内側に嵌合開口３２を形成した嵌合受け部３４を設け、電線管１０の合せ板部１４，２０に形成された嵌合爪部１８，２４を嵌合して分割部分を密着状態に連結する。【選択図】図７
0003161608.tif 000002
【実用新案登録請求の範囲】
【請求項１】
蛇腹構造をもち、軸方向に分割された電線管を環状に連結して固定する電線管連結構造に於いて、
前記電線管の軸方向の蛇腹分割端面に形成された一対の合せ板部と、
前記合せ板部を挟み込み固定する嵌合開口を備えた固定カバー部材と、
を備えたことを特徴とする電線管連結構造。
【請求項２】
請求項１に記載の電線管連結構造に於いて、前記合せ板部は、
前記電線管の蛇腹構造部の溝位置に、両端面の合せ板部の合わせ面の一方の合わせ面には突起部と、他の合わせ面には突起部を挿入する突起受け部とを備え、
前記合せ板部の突起部と突起受け部のそれぞれの背面には、嵌合爪部を備えている、
ことを特徴とする電線管連結構造。
【請求項３】
請求項１に記載の電線管連結構造に於いて、
前記電線管と合せ板部は、一体的に構成されていることを特徴とする電線管連結構造。
【請求項４】
請求項１に記載の電線管連結構造に於いて、前記固定カバー部材は、
前記電線管の蛇腹大径部に面着する断面が円弧状で軸方向に長いカバー本体と、
前記カバー本体の内側から中心方向に起立して前記一対の合せ板の背面に一体に形成された嵌合爪部を入れる嵌合開口部を形成した蛇腹溝位置に相対して形成された嵌合受け部材と、
を備えたことを特徴とする電線管連結構造。
【考案の詳細な説明】
【技術分野】
【０００１】
本考案は、通信ケーブル等を地中に埋設設置する電線管連結構造に関し、特に、軸方向に分割した電線管にケーブルを入れながら埋設溝に布設していく過程で分割部分をシールする電線管連結構造に関する。
【背景技術】
【０００２】
近年、街中の架空ケーブルを地中化するための社会資本整備が重要視されている。これらの地中化工事は、現在、共同溝を使用してケーブル布設工事を行っている。このケーブル工事は、例えばマンホールとマンホールとの間に通信ケーブルを布設する場合、繰り出し側のマンホールの位置にケーブル操出し車を配置し、また牽引側のマンホールの位置にシャフトドライブウインチ配置する。そして繰り出し側のマンホールから管路を通して牽引側のマンホールに向けて牽引ロープを通してシャフトドライブウインチに結びつけ、牽引ロープの後ろにケーブルドラムから波付可撓管を通して引き出したケーブルの先端を連結し、ケーブルを管路に布設するようにしている。
【０００３】
従来、ケーブル工事を簡単・迅速・低コストに行うために、簡単掘削された布設溝に対し電線管を使用して直接ケーブルを布設して埋設することで電線を地中化する電線地中化装置及び電線管が提案されていた（特許文献１等参照）。
【０００４】
電線地中化装置によれば、例えば数十センチメートル程度の深さの布設溝を掘削して数百メートル間隔でハンドホール（蓋付きのコンクリート製升）を設置し、このハンドホールの間の布設溝に沿って本考案の電線地中化装置の走行体を移動させ、走行体に搭載している電線管ドラムから本考案の電線管を送り出しながら管を開いて中にケーブルドラムから送り出したケーブルを挿入し、挿入後に管を閉じて絞り込んだ後に、走行しながら埋設溝の中に降ろしていくことで布設し、布設後はそのまま埋め戻して地中化している。
【先行技術文献】
【特許文献】
【０００５】
【特許文献１】特開２００５−１５１６９０号公報
【考案の概要】
【考案が解決しようとする課題】
【０００６】
しかしながら、このような従来の電線地中化装置及び電線管は、直接ケーブルを布設して埋設することはできても、軸方向に切断された部位分を開放してケーブルを挿入し、その後切断部を重ね合わせて絞り込んでいる構造のため機密性が悪く水や泥の浸入する原因となっている。このため、ケーブル挿入後の機密性が高い電線管連結構造が強く望まれていた。
【０００７】
本考案は、軸方向に分割された電線管にケーブル挿入した後に高い密閉性を確保する電線管連結構造を提供することを目的とする。
【課題を解決するための手段】
【０００８】
本考案は、蛇腹構造をもち、軸方向に分割された電線管を環状に連結して固定する電線管連結構造に於いて、
電線管の軸方向の蛇腹分割端面に形成された一対の合せ板部と、
合せ板部を挟み込み固定する嵌合開口３２を備えた固定カバー部材と、
を備えたことを特徴とする。
【０００９】
ここで、合せ板部は、電線管の蛇腹構造部の溝位置に、両端面の合せ板部の合わせ面の一方の合わせ面には突起部と、他の合わせ面には突起部を挿入する突起受け部とを備え、合せ板部の突起部と突起受け部のそれぞれの背面には、嵌合爪部を備えている。
【００１０】
電線管と合せ板部は、一体的に構成されている。
【００１１】
固定カバー部材は、
電線管の蛇腹大径部に面着する断面が円弧状で軸方向に長いカバー本体と、
カバー本体の内側から中心方向に起立して記一対の合せ板の背面に一体に形成された嵌合爪部を入れる嵌合開口３１を形成した蛇腹溝位置に相対して形成された嵌合受け部材と、
を備える。
【考案の効果】
【００１２】
本考案の電線管連結構造によれば、ケーブルを挿入し、挿入後に管を閉じて合せ板の突起部を窪み部に入れて位置を合わせ、合わせ板を密着させて嵌合爪を固定カバーで挟み込んで固定するので、電線管の軸方向に割れた部分の密閉性がよい電線管を実現することができる。
【図面の簡単な説明】
【００１３】
【図１】本考案による電線管の実施形態を示した説明図
【図２】本考案による電線管実施形態の連結部説明図
【図３】連結部合せ板の説明図
【図４】連結部の合せ板部の説明図
【図５】連結部の合せ板部の説明図
【図６】連結部の嵌合カバーの説明図
【図７】連結部に嵌合カバーを取り付けた説明図
【図８】地中電線化装置に設けているケーブルと嵌合カバーの組み立てユニットの説明図
【考案を実施するための形態】
【００１４】
本考案による分割された電線管の連結構造について、図１〜７により説明する。
【００１５】
図１は、分割された本考案による電線管１０を固定カバー３０により連結したときの電線管１０の全体図であり、図１（Ａ）は径方向の断面図、図１（Ｂ）は軸方向の断面図である。図１（Ａ）において、電線管１０の内部は円形の断面形状であり、その空間部にケーブルが配置されることになる。図１（Ｂ）は、図１（Ａ）におけるＸ−Ｘ’部の軸方向断面を示している。電線管１０の大径部外周に沿って軸方向に固定カバー部材３０があり、合せ板１４は電線管１０の蛇腹部の幅で合せ面を備えている、合せ面の溝１４に相当する位置には突起部１６が配列されている。
【００１６】
図２は、本考案による電線管１０の蛇腹部の構造を示している。図２において、電線管１０は蛇腹構造となっているが、小径部の外側は、大径部に挟まれた溝１２が形成されている。電線管１０は、ケーブルを中に通すために軸方向に沿って分割されており、分割された蛇腹部断面には、閉じたときの密閉性を向上させるための合せ板部１４、２０が溶着又は一体形成により設けられている。
【００１７】
合せ板部１４、２０は、電線管１０の溝１２に相対する位置に、それぞれ嵌合爪部１８、２４を備え、合せ板部１４、２０が密着する面は、合せ板部１４の面には突起部１６が、合せ板部２０の面には突起受け部２２がある。突起部１６が突起受け部２２に挿入されることにより、電線管１０の分割部を閉じるときに、合せ板部１４、２０の位置がずれることなく連結させることができる。嵌合爪部１８、２４は、合せ板部１４、２４の略中間部まで存在し、先端部を狭くした略楔形状となっている。
【００１８】
図３は、合せ板部のみを取り出した図である。合せ板部２４の合せ面背面部には嵌合爪２４が溝１２の幅で、下部が広い形状で設けられている。その他の部分は平面となって、電線管１０の蛇腹部断面の対抗面に合せ板部２０が備えられている。合せ板部１４においても、合せ板部２０と同様に、合せ面の背面部には、溝１２の位置に嵌合爪部２４と対向する位置に嵌合爪部１８が設けられている。
【００１９】
図４及び５は、合せ板部１４及び合せ板部２０の合せ面を示している。図４において、合せ板部１４の合せ面には、突起部１６が設けられており、幅は略電線管１０の溝幅となっている。また、突起部１６の背面には、嵌合爪部１８がある。突起部１６は、合せ面に対して先端部が尖った略三角形の断面形状となっている。この先端部が図５の合せ板部２０に設けられている突起受け部２４に挿入される。
【００２０】
図５において、合せ板部２０の合せ面には、突起受け部２２が設けられており、幅は略電線管１０の溝幅で、突起部１６が挿入可能な凹みの大きさである。突起受け部２２は、合せ板部１４、２０により電線管１０を閉じたときに、突起部１６が挿入され、電線管１０の蛇腹部の位置が正確に合わせられるようになっている。
【００２１】
図６は、電線管１０の分割部を連結する固定カバー部材３０である。図６において、固定カバー部材３０は、電線管１０の蛇腹大径部外周の軸方向に沿って取り付けられるため、湾曲した形状であり、その下部には、嵌合開口３２を形成した嵌合受け部３４が突出して設けられている。嵌合開口３２は、図４及び図５に示した合せ板部１４、２４に形成した嵌合爪部１８、２４を合わせた状態で嵌合する抜き形状となっている。
【００２２】
図７は、電線管１０の分割部を固定カバー部材３０により連結したときの断面図である。固定カバー部材３０は、電線管１０の蛇腹大径部外周に沿って軸方向に取り付けられる。固定カバー部材３０の取付けに際しては、固定カバー部材３０の両端を上部に撓ませて、固定カバー部材３０の下部に設けられた嵌合受け部３４の嵌合開口３２の下部を広げて、合せ板部１４、２０の嵌合爪部１６、２４の上部の狭い部分から挿入させ、嵌合爪部１６、２４の下部を両側から挟んで合せ板１４、２０を密着させる。
【００２３】
なお、電線管１０の連結部を外すときには、固定カバー部材３０の両端を引き上げて撓ませると、嵌合受け部３４の嵌合開口３２下部が開くので、簡単に固定カバー部材３０を電線管１０はずすことができる。
【００２４】
次に、本考案による分割された電線管にケーブルを挿入し、固定カバー部材で密閉しながら布設工事をする場合の場合に必要となるケーブル挿入ユニットについて説明する。ケーブル挿入ユニットは、地中電線化装置に使用され、自動車などの走行体に電線管ドラムとケーブルドラム４を搭載し、送りローラにより電線管ドラム３を回転駆動して、電線管ドラムに装着している電線管をケーブル挿入させるための組み立てユニットである。
【００２５】
図８は、本考案による電線管１０にケーブル４８を挿入しながら固定カバー部材３０により分割部を密閉し連結する組み立てユニットを示している。
【００２６】
図８において、組み立てユニット４０の内部には管径拡大ユニット４４が備えられている。この管径拡大ユニット４４は、電線管１０の挿入部４２ａを電線管１０の小径部の内径よりも小さくしてあり、徐々に径を大きくして、電線管１０の小径部の内径よりも大きな径とした部分４２ｂより一定の区間大径を保持している。
【００２７】
この管径拡大部材４２の部分を電線管１０が通過するときには、電線管１０の分割された部分が開いたまま通過する。管径拡大部材４２の大径部には、上部を開口したケーブル挿入溝４４が設けられて、ケーブル案内管４６によりケーブル挿入溝４４に導かれたケーブル４８が溝に入る。そして、開口された電線管１０の内部に相対する位置を移動する。
【００２８】
管径拡大部材４２の端部４２Ｃは、再び径が電線管１０の小径部の内径よりも小さくなっており、電線管１０に内部にケーブル４８が閉じ込められた状態となる。このときさらに、ローラ５０、５２、５４により、固定カバー部材３０が電線管１０を連結すべく分割部に導かれる。
【００２９】
そして、ローラ５６、５８の間を、内部にケーブル４８が挿入された状態で通過する電線管１０と固定カバー部材３０とが通過する際に強く押圧され、固定カバー部材３０が押されて嵌合受部３４に形成されている嵌合開口３２の下部が開くので、電線管１０の溝１２にある合せ板部１４の嵌合爪部１８と合せ板部２０の嵌合爪部２４を開口された嵌合開口３２の空間に挟み込む。その後、ローラ５６とローラ５８間を通過すると、固定カバー部材３０により合せ板１４及び合せ板２０が密着して固定され、機密性のよい連結が実現できる。
【００３０】
なお、上記の実施形態にあっては、図１のように、軸方向に分割された電線管１０と合せ板１４及び合せ板２０を分離した構造としているが、これらを一体として成型した構造であってもよい。
【００３１】
また、突起１６の形状は、図１に示した断面が三角形の形状ではなく、半円形の断面形状であってもよく、突起受け２２もそれに応じて半円形状の凹み形状とする。
【００３２】
また、上記の実施形態にあっては、嵌合カバー３０の嵌合爪部１８，２４を電線管１０の溝１２に１対１に対応して設けているが、溝１２の１つ置き或いは２つ置きというように空き部分を設けるようにしても良い。
【００３３】
更に本考案は、その目的と利点を損なうことのない適宜の変形を含み、更に定規の実施例に示した数値による限定は受けない。
【符号の説明】
【００３４】
１０：電線管
１２：溝
１４，２０：合せ板部
１６：突起部
１８，２４：嵌合爪部
２２：突起受け部
３０：嵌合カバー
３２：嵌合受け部
４０：組み立てユニット
４２：管径拡大部材
４４：ケーブル挿入溝
４６：ケーブル案内管
４８：ケーブル
５０，５２，５４，５６，５８：ローラ
【図１】
0003161608.tif 000003
【図２】
0003161608.tif 000004
【図３】
0003161608.tif 000005
【図４】
0003161608.tif 000006
【図５】
0003161608.tif 000007
【図６】
0003161608.tif 000008
【図７】
0003161608.tif 000009
【図８】
0003161608.tif 000010